(57)【特許請求の範囲】
【請求項１】
直接サンプリングモードでの動作のために使用される直接サンプリング経路と、ここで、前記直接サンプリング経路は、チューナブルローパスフィルタモジュールを備える、
通常サンプリングモードでの動作のためのゼロ中間周波数経路と、ここで、前記ゼロ中間周波数経路は、ミキサと発振器と増幅器とを備える、
フィルタモジュール入力を前記直接サンプリング経路の入力および前記ゼロ中間周波数経路の入力に結合する第１のスイッチと、
フィルタモジュール出力を前記直接サンプリング経路の出力および前記ゼロ中間周波数経路の出力に結合する第２のスイッチと
を備え、前記第１のスイッチと前記第２のスイッチとは、受信信号電力に基づいて前記直接サンプリング経路と前記ゼロ中間周波数経路との間で切り替わるように構成され、
ワイヤレスデバイスは、前記受信信号電力が受信信号電力しきい値よりも大きいとき、前記直接サンプリングモードで動作するように構成され、前記受信信号電力しきい値は、前記ワイヤレスデバイスの電力容量およびバッテリー寿命のうちの少なくとも１つにしたがって変化する、チャネル状態に基づいてワイヤレス信号を受信するためのワイヤレスデバイス。
【請求項２】
前記第１のスイッチと前記第２のスイッチとは、前記直接サンプリングモードで動作しているとき、信号が前記直接サンプリング経路を通過することを可能にするように配置される、
請求項１に記載のワイヤレスデバイス。
【請求項３】
前記第１のスイッチと前記第２のスイッチとは、通常サンプリングモードで動作しているとき、信号が前記ゼロ中間周波数経路を通過することを可能にするように配置される、請求項１に記載のワイヤレスデバイス。
【請求項４】
前記第２のスイッチに結合されたアナログデジタル変換器をさらに備える、請求項１に記載のワイヤレスデバイス。
【請求項５】
前記アナログデジタル変換器は、前記直接サンプリングモードで動作しているとき、直接サンプリングレートで信号をサンプリングするように構成される、
請求項４に記載のワイヤレスデバイス。
【請求項６】
前記アナログデジタル変換器は、前記通常サンプリングモードで動作しているとき、通常サンプリングレートで信号をサンプリングするように構成される、
請求項４に記載のワイヤレスデバイス。
【請求項７】
トランシーバをさらに備え、前記直接サンプリング経路と前記ゼロ中間周波数経路とは、前記トランシーバ上に実装される、
請求項１に記載のワイヤレスデバイス。
【請求項８】
第１のトランシーバと第２のトランシーバとをさらに備え、前記直接サンプリング経路は、前記第１のトランシーバ上に実装され、前記ゼロ中間周波数経路は、前記第２のトランシーバ上に実装される、
請求項１に記載のワイヤレスデバイス。
【請求項９】
前記第１のトランシーバと前記第２のトランシーバとは、アナログデジタル変換器に結合され、前記アナログデジタル変換器は、前記直接サンプリングモードで動作しているときは直接サンプリングレートで、および前記通常サンプリングモードで動作しているときは通常サンプリングレートで信号をサンプリングするように構成される、
請求項８に記載のワイヤレスデバイス。
【請求項１０】
前記第１のトランシーバは、直接サンプリングレートで信号をサンプリングするように構成された第１のアナログデジタル変換器を備え、前記第２のトランシーバは、通常サンプリングレートで信号をサンプリングするように構成された第２のアナログデジタル変換器を備える、
請求項８に記載のワイヤレスデバイス。
【請求項１１】
前記直接サンプリングモードは、アンダーサンプリングモードと、ナイキストモードと、オーバーサンプリングモードとのうちの１つで動作することを備える、
請求項１に記載のワイヤレスデバイス。
【請求項１２】
前記通常サンプリングモードで動作することは、前記直接サンプリングモードで動作するよりも多くのバッテリー電力を使用する、請求項１に記載のワイヤレスデバイス。
【請求項１３】
直接サンプリングモードでの動作のために使用される直接サンプリング経路と、ここで、前記直接サンプリング経路は、チューナブルローパスフィルタモジュールを備える、
通常サンプリングモードでの動作のためのゼロ中間周波数経路と、ここで、前記ゼロ中間周波数経路は、ミキサと発振器と増幅器とを備える、
フィルタモジュール入力を前記直接サンプリング経路の入力および前記ゼロ中間周波数経路の入力に結合する第１のスイッチと、
フィルタモジュール出力を前記直接サンプリング経路の出力および前記ゼロ中間周波数経路の出力に結合する第２のスイッチと
を備え、前記第１のスイッチと前記第２のスイッチとは、受信信号電力に基づいて前記直接サンプリング経路と前記ゼロ中間周波数経路との間で切り替わるように構成され、ワイヤレスデバイスは、前記受信信号電力が受信信号電力しきい値よりもよりも小さいかまたはそれに等しいとき、前記通常サンプリングモードで動作するように構成され、
前記受信信号電力しきい値は、前記ワイヤレスデバイスの電力容量およびバッテリー寿命のうちの少なくとも１つにしたがって変化する、チャネル状態に基づいてワイヤレス信号を受信するためのワイヤレスデバイス。
【請求項１４】
直接サンプリングモードでの動作のために使用される直接サンプリング経路と、ここで、前記直接サンプリング経路は、チューナブルローパスフィルタモジュールを備える、
通常サンプリングモードでの動作のためのゼロ中間周波数経路と、ここで、前記ゼロ中間周波数経路は、ミキサと発振器と増幅器とを備える、
フィルタモジュール入力を前記直接サンプリング経路の入力および前記ゼロ中間周波数経路の入力に結合する第１のスイッチと、
フィルタモジュール出力を前記直接サンプリング経路の出力および前記ゼロ中間周波数経路の出力に結合する第２のスイッチと
を備え、前記第１のスイッチと前記第２のスイッチとは、受信信号電力に基づいて前記直接サンプリング経路と前記ゼロ中間周波数経路との間で切り替わるように構成され、
ワイヤレスデバイスは、キャリア対雑音比がキャリア対雑音比しきい値よりも大きいとき、前記直接サンプリングモードで動作するように構成され、前記キャリア対雑音比しきい値は、前記ワイヤレスデバイスの電力容量およびバッテリー寿命のうちの少なくとも１つにしたがって変化する、チャネル状態に基づいてワイヤレス信号を受信するためのワイヤレスデバイス。
【請求項１５】
前記通常サンプリングモードで動作することは、前記直接サンプリングモードで動作するよりも多くのバッテリー電力を使用する、請求項１４に記載のワイヤレスデバイス。
【請求項１６】
直接サンプリングモードでの動作のために使用される直接サンプリング経路と、ここで、前記直接サンプリング経路は、チューナブルローパスフィルタモジュールを備える、
通常サンプリングモードでの動作のためのゼロ中間周波数経路と、ここで、前記ゼロ中間周波数経路は、ミキサと発振器と増幅器とを備える、
フィルタモジュール入力を前記直接サンプリング経路の入力および前記ゼロ中間周波数経路の入力に結合する第１のスイッチと、
フィルタモジュール出力を前記直接サンプリング経路の出力および前記ゼロ中間周波数経路の出力に結合する第２のスイッチと
を備え、前記第１のスイッチと前記第２のスイッチとは、受信信号電力に基づいて前記直接サンプリング経路と前記ゼロ中間周波数経路との間で切り替わるように構成され、
ワイヤレスデバイスは、キャリア対雑音比がキャリア対雑音比しきい値よりも小さいかまたはそれに等しいとき、前記通常サンプリングモードで動作するように構成され、前記キャリア対雑音比しきい値は、前記ワイヤレスデバイスの電力容量およびバッテリー寿命のうちの少なくとも１つにしたがって変化する、チャネル状態に基づいてワイヤレス信号を受信するためのワイヤレスデバイス。
【請求項１７】
アンテナを使用して受信信号を受信することと、
受信信号電力が受信信号電力しきい値よりも大きいかどうかを決定することと、
前記決定に基づいて直接サンプリングモードと通常サンプリングモードとの間で切り替わることと
を備え、前記直接サンプリングモードは、チューナブルローパスフィルタモジュールを動作させることを含み、前記通常サンプリングモードは、ミキサと発振器と増幅器とを動作させることを含み、
前記受信信号電力は、前記受信信号電力しきい値よりも大きいと決定され、前記受信信号電力しきい値は、ワイヤレスデバイスの電力容量およびバッテリー寿命のうちの少なくとも１つにしたがって変化し、方法が、前記直接サンプリングモードに切り替わることをさらに備える、チャネル状態に基づいて受信信号を受信するための方法。
【請求項１８】
前記直接サンプリングモードに切り替わることは、
前記チューナブルローパスフィルタモジュールの入力を直接サンプリング経路の入力に結合するように第１のスイッチを調整することと、
前記チューナブルローパスフィルタモジュールの出力をアナログデジタル変換器に結合するように第２のスイッチを調整することと
を備える、請求項１７に記載の方法。
【請求項１９】
前記直接サンプリング経路上で前記チューナブルローパスフィルタモジュールを使用して信号をフィルタ処理することと、
フィルタ処理された信号を前記アナログデジタル変換器に与えることと
をさらに備える、請求項１８に記載の方法。
【請求項２０】
前記アナログデジタル変換器を使用して直接サンプリングレートで前記フィルタ処理された信号をサンプリングすることをさらに備える、
請求項１９に記載の方法。
【請求項２１】
前記受信信号のキャリア対雑音比がキャリア対雑音比しきい値よりも大きいかどうかを決定することと、
前記受信信号の前記キャリア対雑音比が前記キャリア対雑音比しきい値よりも大きいかどうかに基づいて前記直接サンプリングモードと前記通常サンプリングモードとの間で切り替わることと
をさらに備える、請求項１７に記載の方法。
【請求項２２】
前記直接サンプリングモードは、アンダーサンプリングモードと、ナイキストモードと、オーバーサンプリングモードとのうちの１つで動作することを備える、
請求項１７に記載の方法。
【請求項２３】
アンテナを使用して受信信号を受信することと、
受信信号電力が受信信号電力しきい値よりも大きいかどうかを決定することと、
前記決定に基づいて直接サンプリングモードと通常サンプリングモードとの間で切り替わることと
を備え、前記直接サンプリングモードは、チューナブルローパスフィルタモジュールを動作させることを含み、前記通常サンプリングモードは、ミキサと発振器と増幅器とを動作させることを含み、
前記受信信号電力は、前記受信信号電力しきい値よりもよりも小さいかまたはそれに等しいと決定され、前記受信信号電力しきい値は、ワイヤレスデバイスの電力容量およびバッテリー寿命のうちの少なくとも１つにしたがって変化し、方法が、前記通常サンプリングモードに切り替わることをさらに備える、チャネル状態に基づいて受信信号を受信するための方法。
【請求項２４】
前記通常サンプリングモードに切り替わることは、
前記ミキサの入力をゼロ中間周波数経路に結合するように第１のスイッチを調整することと、
前記増幅器の出力をアナログデジタル変換器に結合するように第２のスイッチを調整することと
を備える、請求項２３に記載の方法。
【請求項２５】
前記ゼロ中間周波数経路を使用して信号をフィルタ処理することと、
フィルタ処理された信号を前記アナログデジタル変換器に与えることと
をさらに備える、請求項２４に記載の方法。
【請求項２６】
前記アナログデジタル変換器を使用して通常サンプリングレートで前記フィルタ処理された信号をサンプリングすることをさらに備える、請求項２５に記載の方法。
【請求項２７】
受信信号を受信するための手段と、
受信信号電力が受信信号電力しきい値よりも大きいかどうかを決定するための手段と、
前記決定に基づいて直接サンプリングモードと通常サンプリングモードとの間で切り替わるための手段と
を備え、前記直接サンプリングモードは、チューナブルローパスフィルタモジュールを動作させることを含み、前記通常サンプリングモードは、ミキサと発振器と増幅器とを動作させることを含み、
前記受信信号電力は、前記受信信号電力しきい値よりも大きいと決定され、前記受信信号電力しきい値は、ワイヤレスデバイスの電力容量およびバッテリー寿命のうちの少なくとも１つにしたがって変化し、前記直接サンプリングモードに切り替わるための手段をさらに備える、チャネル状態に基づいてワイヤレス信号を受信するための装置。
【請求項２８】
直接サンプリング経路を使用して信号をフィルタ処理するための手段と、ここで、前記フィルタ処理するための手段は、前記チューナブルローパスフィルタモジュールを含む、
直接サンプリングレートで前記フィルタ処理された信号をサンプリングするための手段と
をさらに備える、請求項２７に記載の装置。
【請求項２９】
受信信号を受信するための手段と、
受信信号電力が受信信号電力しきい値よりも大きいかどうかを決定するための手段と、
前記決定に基づいて直接サンプリングモードと通常サンプリングモードとの間で切り替わるための手段と
を備え、前記直接サンプリングモードは、チューナブルローパスフィルタモジュールを動作させることを含み、前記通常サンプリングモードは、ミキサと発振器と増幅器とを動作させることを含み、
前記受信信号電力は、前記受信信号電力しきい値よりも小さいかまたはそれに等しいと決定され、前記受信信号電力しきい値は、ワイヤレスデバイスの電力容量およびバッテリー寿命のうちの少なくとも１つにしたがって変化し、前記通常サンプリングモードに切り替わるための手段をさらに備える、チャネル状態に基づいてワイヤレス信号を受信するための装置。
【請求項３０】
ゼロ中間周波数経路を使用して信号をフィルタ処理するための手段と、ここで、前記フィルタ処理するための手段は、前記ミキサと前記発振器と前記増幅器とを含む、
アナログデジタル変換器を使用して通常サンプリングレートで前記フィルタ処理された信号をサンプリングするための手段と
をさらに備える、請求項２９に記載の装置。
【発明の詳細な説明】
【関連出願】
【０００１】
関連出願の相互参照  
[0001]本開示は、その内容全体がすべての目的のために参照により本明細書に組み込まれる、２０１３年２月４日に出願された米国非仮出願第１３／７５８，８４６号の優先権を主張する。
【技術分野】
【０００２】
[0002]本開示は、一般に、通信システムのためのワイヤレスデバイスに関する。より詳細には、本開示は、チャネル状態に基づいてゼロ中間周波数と直接サンプリングとの間で再構成した受信機のためのシステムおよび方法に関する。
【背景技術】
【０００３】
[0003]電子デバイス（セルラー電話、ワイヤレスモデム、コンピュータ、デジタル音楽プレーヤ、全地球測位システムユニット、携帯情報端末、ゲームデバイスなど）は、日常生活の一部になっている。現在、自動車からハウジングロックまで、あらゆるものに小型コンピューティングデバイスが入っている。電子デバイスの複雑さは、ここ数年で劇的に増加した。たとえば、多くの電子デバイスは、デバイスを制御するのを助ける１つまたは複数のプロセッサ、ならびにプロセッサとデバイスの他の部分とをサポートするためのいくつかのデジタル回路を有する。
【０００４】
[0004]これらの電子デバイスは、信号をワイヤレスに送信および受信し得る。信号を処理する際に、電子デバイスは、電子デバイス上で様々なフィルタ、変換器および他の回路を使用し得る。デバイス上の様々な要素および回路に電力を供給することは電子デバイスのバッテリーを消耗させ得る。さらに、より多く消費する回路が動作しているとき、電子デバイスのバッテリー寿命は短くなる。より多くの電力を消費する回路を遮断しながら効果的な信号処理を可能にする電子デバイスの改善によって、利益が実現され得る。
【発明の概要】
【０００５】
[0005]チャネル状態に基づいてワイヤレス信号を受信するためのワイヤレスデバイスが説明される。ワイヤレスデバイスは、直接サンプリングモードでの動作のために使用される直接サンプリング経路を含む。ワイヤレスデバイスはまた、通常サンプリングモードでの動作のためのゼロ中間周波数（ＺＩＦ：zero intermediate frequency）経路を含む。ワイヤレスデバイスはまた、フィルタモジュール入力を直接サンプリング経路の入力およびゼロ中間周波数（ＺＩＦ）経路の入力に結合する第１のスイッチを含む。ワイヤレスデバイスはさらに、フィルタモジュール出力を直接サンプリング経路の出力およびゼロ中間周波数（ＺＩＦ）経路の出力に結合する第２のスイッチを含む。第１のスイッチと第２のスイッチとは、受信信号電力に基づいて直接サンプリング経路とゼロ中間周波数（ＺＩＦ）経路との間で切り替わるように構成される。
【０００６】
[0006]第１のスイッチと第２のスイッチとは、直接サンプリングモードで動作しているとき、信号が直接サンプリング経路を通過することを可能にするように配置され得る。第１のスイッチと第２のスイッチとはまた、通常サンプリングモードで動作しているとき、信号がゼロ中間周波数（ＺＩＦ）経路を通過することを可能にするように配置され得る。
【０００７】
[0007]ワイヤレスデバイスは、第２のスイッチに結合されたアナログデジタル変換器（ＡＤＣ：analog-to-digital converter）を含み得る。アナログデジタル変換器（ＡＤＣ）は、直接サンプリングモードで動作しているとき、直接サンプリングレートで信号をサンプリングするように構成され得る。アナログデジタル変換器（ＡＤＣ）はまた、通常サンプリングモードで動作しているとき、通常サンプリングレートで信号をサンプリングするように構成され得る。直接サンプリングモードは、アンダーサンプリングモードと、ナイキストモードと、オーバーサンプリングモードとのうちの１つで動作することを含み得る。
【０００８】
[0008]ワイヤレスデバイス上の直接サンプリング経路はチューナブルフィルタモジュールを含み得る。ゼロ中間周波数（ＺＩＦ）経路はミキサと発振器と増幅器とを含み得る。
【０００９】
[0009]ワイヤレスデバイスは、受信信号電力が受信信号電力しきい値よりも小さいかまたはそれに等しいとき、通常サンプリングモードで動作するように構成され得る。ワイヤレスデバイスはまた、キャリア対雑音比がキャリア対雑音比しきい値よりも大きいとき、直接サンプリングモードで動作するように構成され得る。ワイヤレスデバイスは、キャリア対雑音比がキャリア対雑音比しきい値よりも小さいかまたはそれに等しいとき、通常サンプリングモードで動作するように構成され得る。
【００１０】
[0010]ワイヤレスデバイスはまた、トランシーバを含み得る。直接サンプリング経路とゼロ中間周波数（ＺＩＦ）経路とがトランシーバ上に実装され得る。ワイヤレスデバイスはさらに、第１のトランシーバと第２のトランシーバとを含み得る。直接サンプリング経路が第１のトランシーバ上に実装され得、ゼロ中間周波数経路（ＺＩＦ）が第２のトランシーバ上に実装され得る。第１のトランシーバと第２のトランシーバとはアナログデジタル変換器（ＡＤＣ）に結合され得る。アナログデジタル変換器（ＡＤＣ）は、直接サンプリングモードで動作しているときは直接サンプリングレートで、および通常サンプリングモードで動作しているときは通常サンプリングレートで信号をサンプリングするように構成され得る。第１のトランシーバはまた、直接サンプリングレートで信号をサンプリングするように構成された第１のアナログデジタル変換器（ＡＤＣ）を含み得る。第２のトランシーバは、通常サンプリングレートで信号をサンプリングするように構成された第２のアナログデジタル変換器（ＡＤＣ）を含み得る。
【００１１】
[0011]チャネル状態に基づいて受信信号を受信するための方法も説明される。アンテナを使用して受信信号が受信される。受信信号電力が受信信号電力しきい値よりも大きいかどうかが決定される。本方法はまた、上記決定に基づいて直接サンプリングモードと通常サンプリングモードとの間で切り替わることを含む。
【００１２】
[0012]チャネル状態に基づいて受信信号を受信するためのコンピュータプログラム製品も説明される。コンピュータプログラム製品は、命令をその上に有する非一時的コンピュータ可読媒体を含む。命令は、アンテナを使用して受信信号を受信することをワイヤレスデバイスに行わせるためのコードを含む。命令はまた、受信信号電力が受信信号電力しきい値よりも大きいかどうかを決定することをワイヤレスデバイスに行わせるためのコードを含む。命令はまた、上記決定に基づいて直接サンプリングモードと通常サンプリングモードとの間で切り替わることをワイヤレスデバイスに行わせるためのコードを含む。
【００１３】
[0013]チャネル状態に基づいてワイヤレス信号を受信するための装置も説明される。本装置は、受信信号を受信するための手段を含む。本装置はまた、受信信号電力が受信信号電力しきい値よりも大きいかどうかを決定するための手段を含む。本装置はまた、上記決定に基づいて直接サンプリングモードと通常サンプリングモードとの間で切り替わるための手段を含む。
【図面の簡単な説明】
【００１４】
【図１】本システムおよび方法において使用するためのワイヤレスデバイスを示す図。
【図２】フィルタモジュールの一構成を示す図。
【図３】本システムおよび方法において使用するためのチューナブルフィルタブロックの一構成の回路図。
【図４】通常サンプリングモードと直接サンプリングモードとの間で切り替わるための方法のフローチャート。
【図５】直接サンプリングモードにおいて使用するための複数のフィルタ経路を示すグラフ。
【図６】フィルタモジュールの別の構成を示す図。
【図７】通常サンプリングモードからのゼロ中間周波数（ＺＩＦ）信号と、直接サンプリングモードからの直接サンプリングされた信号とを示すグラフ。
【図８】通常サンプリングモードと直接サンプリングモードとの間で切り替わるための別の方法のフローチャート。
【図９】ワイヤレス通信デバイス内に含まれ得るいくつかの構成要素を示す図。
【図１０】基地局内に含まれ得るいくつかの構成要素を示す図。
【発明を実施するための形態】
【００１５】
[0024]図１に、本システムおよび方法において使用するためのワイヤレスデバイス１０２を示す。ワイヤレスデバイス１０２は、ワイヤレス通信デバイスまたは基地局であり得る。ワイヤレスデバイス１０２は、ワイヤレス信号を受信しているときのワイヤレスデバイス１０２の電力消費を最適化するために、ワイヤレスデバイス１０２が通常サンプリングモードと直接サンプリングモードとの間で切り替わることを可能にするフィルタモジュール１１０および制御信号モジュール１２４を含み得る。サンプリングモード間で切り替わることは、チャネル状態に基づいて実装され得る。一構成では、サンプリングモード間で切り替わることは、ワイヤレスデバイス１０２の自動利得制御（ＡＧＣ）機能の一部として実装される。たとえば、通常サンプリングモードと直接サンプリングモードとの間で切り替わることは、ワイヤレスデバイスの利得に応答しておよび／またはフィードバック信号に応答して自動的であり得る。
【００１６】
[0025]直接サンプリングは、本技術が何を可能にするかに基づいて、アンダーサンプリングモード、ナイキストモードまたはオーバーサンプリングモードで動作し得る。オーバーサンプリングでは、デジタル回転／フィルタ処理は集約的であり／高速に大量の電流を消費して、ゼロ中間周波数（ＺＩＦ）フィルタの使用を実行可能にし得る。アンダーサンプリングは、エイリアス化されたサンプルがベースバンドにあるので、魅力的であり得る。電流消費量を低減するために、高速信号処理は低減される必要があり、電圧制御発振器（ＶＣＯ）／位相ロックループ（ＰＬＬ）は使用されないことがある。
【００１７】
[0026]ワイヤレス通信デバイスは、端末、アクセス端末、ユーザ装置（ＵＥ）、加入者ユニット、局などと呼ばれることもあり、それらの機能の一部または全部を含み得る。ワイヤレス通信デバイスは、セルラーフォン、携帯情報端末（ＰＤＡ）、ワイヤレスデバイス、ワイヤレスモデム、ハンドヘルドデバイス、ラップトップコンピュータ、ＰＣカード、コンパクトフラッシュ（登録商標）、外部または内部モデム、有線電話などであり得る。ワイヤレス通信デバイスはモバイルまたは固定であり得る。ワイヤレス通信デバイスは、所与の瞬間においてダウンリンクおよび／またはアップリンク上でゼロ、１つまたは複数の基地局と通信し得る。ダウンリンク（または順方向リンク）は、基地局からワイヤレス通信デバイスへの通信リンクを指し、アップリンク（または逆方向リンク）は、ワイヤレス通信デバイスから基地局への通信リンクを指す。アップリンクおよびダウンリンクは、通信リンクを、または通信リンクのために使用されるキャリアを指し得る。
【００１８】
[0027]ワイヤレス通信デバイスは、基地局など、他のワイヤレスデバイスを含むワイヤレス通信システムにおいて動作し得る。基地局は、１つまたは複数のワイヤレス通信デバイスと通信する局である。基地局は、アクセスポイント、ブロードキャスト送信機、ノードＢ、発展型ノードＢなどと呼ばれることもあり、それらの機能の一部または全部を含み得る。各基地局は特定の地理的エリアに通信カバレージを与える。基地局は、１つまたは複数のワイヤレス通信デバイスに通信カバレージを与え得る。「セル」という用語は、その用語が使用されるコンテキストに応じて、基地局および／またはそれのカバレージエリアを指すことができる。
【００１９】
[0028]ワイヤレス通信システム（たとえば、多元接続システム）における通信は、ワイヤレスリンクを介した送信によって達成され得る。そのような通信リンクは、単入力単出力（ＳＩＳＯ）または多入力多出力（ＭＩＭＯ）システムを介して確立され得る。多入力多出力（ＭＩＭＯ）システムは、それぞれ、データ伝送のために複数（ＮＴ）個の送信アンテナと複数（ＮＲ）個の受信アンテナとを装備した、送信機と受信機とを含む。ＳＩＳＯシステムは多入力多出力（ＭＩＭＯ）システムの特定の例である。多入力多出力（ＭＩＭＯ）システムでは、複数の送信アンテナおよび受信アンテナによって生成される追加の次元数が利用された場合、性能の改善（たとえば、スループットの向上、容量の増大または信頼性の改善）を与えることが可能である。
【００２０】
[0029]ワイヤレス通信システムは、単入力多出力（ＳＩＭＯ）と多入力多出力（ＭＩＭＯ）の両方を利用し得る。ワイヤレス通信システムは、利用可能なシステムリソース（たとえば、帯域幅および送信電力）を共有することによって複数のワイヤレス通信デバイスとの通信をサポートすることが可能な多元接続システムであり得る。そのような多元接続システムの例としては、符号分割多元接続（ＣＤＭＡ）システム、広帯域符号分割多元接続（Ｗ−ＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システムおよび空間分割多元接続（ＳＤＭＡ）システムを含む。
【００２１】
[0030]ワイヤレスデバイス１０２は、デュプレクサ１０６に結合されたアンテナ１０４を含み得る。デュプレクサ１０６は、チャネル上での双方向通信を可能にする。デュプレクサ１０６はアンテナ１０４から受信（Ｒｘ）信号１３４を取得し得る。デュプレクサ１０６は、受信（Ｒｘ）信号１３４を通し、不要な周波数をフィルタ処理して除去するための回路（たとえば、チューナブルフィルタ、バンドパスフィルタ、表面弾性波（ＳＡＷ）フィルタ）を含み得る。デュプレクサ１０６の出力は整合ネットワーク１０８に与えられ得る。
【００２２】
[0031]整合ネットワーク１０８は、負荷インピーダンス（たとえば、アンテナ１０４へのインピーダンス）とソースインピーダンス（たとえば、内部インピーダンス）との間の差を最小限に抑える回路であり得る。整合ネットワーク１０８は、受信（Ｒｘ）信号１３４がワイヤレスデバイス１０２を通過するときにそれの電力を最大にするために使用され得る。整合ネットワーク１０８は、フィルタモジュール１１０へのフィルタモジュール入力１３６を与え得る。
【００２３】
[0032]ワイヤレスデバイス１０２はまた、モデム１２２を含み得る。モデム１２２はアナログデジタル変換器（ＡＤＣ）１２０の出力に結合され得る。モデム１２２は、ＲＦトランシーバからの受信機出力をデジタル的に処理することによって受信（Ｒｘ）信号１３４の受信（Ｒｘ）信号電力１２６を決定し得る。受信（Ｒｘ）信号電力１２６は、キャリア対雑音（Ｃ／Ｎ）比１３０を決定するために使用され得る。モデム１２２は、受信（Ｒｘ）信号電力１２６および／または他の測定値を制御信号モジュール１２４に与え得る。制御信号モジュール１２４は、モデム１２２によって与えられたデータから受信（Ｒｘ）信号１３４に関するキャリア対雑音（Ｃ／Ｎ）比１３０および／または他の情報を決定し得る。受信（Ｒｘ）信号電力１２６は、モデム１２２によって制御信号モジュール１２４に与えられ得る。制御信号モジュール１２４はフィルタモジュール１１０とアナログデジタル変換器（ＡＤＣ）１２０とに結合され得る。制御信号モジュール１２４は、通常モードで動作すべきか直接サンプリングモードで動作すべきかに関してフィルタモジュール１１０とアナログデジタル変換器（ＡＤＣ）１２０とに制御信号１４０を与え得る。
【００２４】
[0033]制御信号モジュール１２４は、受信（Ｒｘ）信号電力１２６とキャリア対雑音（Ｃ／Ｎ）比１３０とを含み得る。制御信号モジュール１２４はまた、受信（Ｒｘ）信号電力しきい値１２８とキャリア対雑音（Ｃ／Ｎ）比しきい値１３２とを含み得る。受信（Ｒｘ）信号電力しきい値１２８は、制御信号モジュール１２４が受信（Ｒｘ）信号電力１２６に対して比較するあらかじめ定義された値であり得る。制御信号モジュール１２４は、受信（Ｒｘ）信号電力１２６と受信（Ｒｘ）信号電力しきい値１２８との比較に基づいて制御信号１４０を生成し得る。キャリア対雑音（Ｃ／Ｎ）比しきい値１３２は、制御信号モジュール１２４がキャリア対雑音（Ｃ／Ｎ）比１３０に対して比較するあらかじめ定義された値であり得る。制御信号モジュール１２４は、キャリア対雑音（Ｃ／Ｎ）比１３０とキャリア対雑音（Ｃ／Ｎ）比しきい値１３２との比較に基づいて制御信号１４０を生成し得る。いくつかの構成では、制御信号モジュール１２４は、受信（Ｒｘ）信号電力１２６とキャリア対雑音（Ｃ／Ｎ）比１３０とを含む、ファクタの組合せに基づいて制御信号１４０を生成し得る。
【００２５】
[0034]制御信号モジュール１２４は、フィルタモジュール１１０とアナログデジタル変換器（ＡＤＣ）１２０とが通常サンプリングモードで動作すべきか直接サンプリングモードで動作すべきかを決定し得る。制御信号モジュール１２４は、制御信号１４０を生成し、その制御信号１４０をフィルタモジュール１１０および／またはアナログデジタル変換器（ＡＤＣ）１２０に与え得る。制御信号１４０は、第１のスイッチ１１６を調整するようにフィルタモジュール１１０に命令し、ゼロ中間周波数（ＺＩＦ）経路１１２または直接サンプリング経路１１４のいずれかを使用するように第２のスイッチ１１８に命令し得る。ゼロ中間周波数（ＺＩＦ）経路１１２が示されているが、他のタイプの中間周波数経路（たとえば、低い中間周波数経路）が実装され得ることに留意されたい。一構成では、直接サンプリング経路１１４はアンダーサンプリング経路であり得る。制御信号１４０はまた、通常サンプリングレートまたは直接サンプリングレートで、フィルタ処理された信号１３８をサンプリングするようにアナログデジタル変換器（ＡＤＣ）１２０に命令し得る。
【００２６】
[0035]フィルタモジュール１１０はフィルタモジュール入力１３６を受信し得る。フィルタモジュール１１０は、フィルタモジュール入力１３６をフィルタ処理するための複数のフィルタ処理経路を含み得る。たとえば、フィルタモジュール１１０はゼロ中間周波数（ＺＩＦ）経路１１２と直接サンプリング経路１１４とを含み得る。受信（Ｒｘ）信号電力１２６に応じて、フィルタモジュール１１０は、ゼロ中間周波数（ＺＩＦ）経路１１２または直接サンプリング経路１１４のいずれかを選択し得る。フィルタモジュール１１０はまた、フィルタモジュール１１０の入力において第１のスイッチ１１６を含み、フィルタモジュール１１０の出力において第２のスイッチ１１８を含み得る。第１のスイッチ１１６と第２のスイッチ１１８とはほぼ同時に切り替わるように構成され得、フィルタモジュール１１０が、ゼロ中間周波数（ＺＩＦ）経路１１２を通って信号をルーティングすることと、直接サンプリング経路１１４を通って信号をルーティングすることとの間で切り替わることが可能になる。フィルタモジュール１１０の出力はアナログデジタル変換器（ＡＤＣ）１２０に結合され得る。フィルタモジュール１１０は、アナログデジタル変換器（ＡＤＣ）１２０にフィルタ処理された信号１３８を与え得る。
【００２７】
[0036]フィルタモジュール１１０は、制御信号モジュール１２４から制御信号１４０を受信し得る。制御信号１４０は、通常サンプリングモードまたは直接サンプリングモードのいずれかで動作するようにフィルタモジュール１１０に指示し得る。フィルタモジュール１１０はまた、通常サンプリングモードと直接サンプリングモードとの間で切り替わるように構成され得る。通常サンプリングモードと直接サンプリングモードとの間で切り替わることは、フィルタモジュール入力１３６をゼロ中間周波数（ＺＩＦ）経路１１２または直接サンプリング経路１１４に沿って導くように第１のスイッチ１１６と第２のスイッチ１１８とを調整することを含み得る。
【００２８】
[0037]通常サンプリングモードでは、第１のスイッチ１１６は、フィルタモジュール１１０の入力をフィルタモジュール１１０のゼロ中間周波数（ＺＩＦ）経路１１２に結合するように調整され得る。第２のスイッチ１１８は、ゼロ中間周波数（ＺＩＦ）経路１１２の出力をアナログデジタル変換器（ＡＤＣ）１２０の入力に結合するように調整され得る。通常サンプリングモード中に、アナログデジタル変換器（ＡＤＣ）１２０は、通常サンプリングレートで、フィルタ処理された信号１３８をサンプリングするように構成され得る。通常サンプリングレートは、ワイヤレスデバイス１０２またはアナログデジタル変換器（ＡＤＣ）１２０の設定に対応する所定のレートであるか、あるいは受信（Ｒｘ）信号１３４の周波数に基づき得る。通常サンプリングレートは、ゼロ中間周波数（ＺＩＦ）フィルタ経路１１２の仕様または設定に対応し得る。一構成では、通常サンプリングレートはナイキストレート（受信（Ｒｘ）信号１３４の帯域幅の２倍）であり得る。代替的に、通常サンプリングレートはナイキストレートよりも高くまたは低くなり得る。
【００２９】
[0038]直接サンプリングモードでは、第１のスイッチ１１６は、フィルタモジュール１１０の入力をフィルタモジュール１１０の直接サンプリング経路１１４に結合するように調整され得る。第２のスイッチ１１８は、直接サンプリング経路１１４の出力をアナログデジタル変換器（ＡＤＣ）１２０の入力に結合するように調整され得る。アナログデジタル変換器（ＡＤＣ）１２０は、直接サンプリングレートで、フィルタ処理された信号１３８をサンプリングするように構成され得る。直接サンプリングレートは様々な異なるサンプリングレート間にわたり得る。たとえば、直接サンプリングレートはナイキストレートであり得る。別の構成では、直接サンプリングレートはアンダーサンプリングレートであり得る。アンダーサンプリングレートは、ナイキストレートを下回るが、フィルタモジュール入力１３６を再構成することが依然として可能であるレートを含み得る。一例では、アンダーサンプリングレートは、ベースバンド周波数の２倍を下回るか、またはフィルタモジュール入力１３６の上側バンドパス周波数の２倍を下回る周波数を含み得る。たとえば、デュプレクサ１０６が４００メガヘルツ（ＭＨｚ）の周波数を通す場合、アンダーサンプリングレートは、８００ＭＨｚを下回る周波数の範囲を含み得る。直接サンプリングレートはまた、対応する技術ノードが何を可能にするかに基づいて、ナイキストレートと通常サンプリングレートとの間のオーバーサンプリングレートであり得る。通常サンプリングレートではなく直接サンプリングレートで、フィルタ処理された信号１３８をサンプリングすることによって、フィルタモジュール１１０は、通常サンプリングレートにおいてサンプリングのために必要とされ得る、デジタルダウンコンバージョン、および他の電力消費するデジタル動作を回避し得る。さらに、アナログデジタル変換器（ＡＤＣ）１２０および他の回路は、直接サンプリングレートでサンプリングしているときは、通常サンプリングレートでサンプリングしているときよりも少ない電力を消費し得る。
【００３０】
[0039]一構成では、フィルタモジュール１１０は１つまたは複数のトランシーバを利用し得る。ゼロ中間周波数（ＺＩＦ）経路１１２と直接サンプリング経路１１４との各々がトランシーバ上に実装され得る。ゼロ中間周波数（ＺＩＦ）経路１１２および直接サンプリング経路１１４はまた、別々のトランシーバ上に配置され得る。一構成では、第１のトランシーバがゼロ中間周波数（ＺＩＦ）経路１１２を含み得る。第２のトランシーバは、チューナブルフィルタとともに直接サンプリング経路１１４を含み得る。第１のトランシーバと第２のトランシーバとは、通常サンプリングモードと直接サンプリングモードとの間で切り替わるように構成されたアナログデジタル変換器（ＡＤＣ）１２０に結合され得る。代替的に、それらのトランシーバの各々は、通常サンプリングモードまたは直接サンプリングモードのいずれかで動作するように構成されたアナログデジタル変換器（ＡＤＣ）１２０を含み得る。
【００３１】
[0040]通常サンプリングモードで動作することは、直接サンプリングモードで動作するよりも多くのバッテリー電力を使用し得る。受信（Ｒｘ）信号電力１２６が高い環境では、制御信号モジュール１２４は、直接サンプリングモードで動作することによって十分に高い品質をもつフィルタ処理された信号１３８が生成され得ると決定し得、それにより、より少ない電力が使用される。さらに、低雑音および他の好都合な環境では、キャリア対雑音（Ｃ／Ｎ）比１３０が高いと決定された場合、制御信号モジュール１２４は、直接サンプリングモードで動作しながら受信（Ｒｘ）信号１３４の十分なスループットまたは品質が達成され得ると決定し得、それにより、ワイヤレスデバイス１０２の電力消費量が低減される。通常サンプリングモードで動作すべきか直接サンプリングモードで動作すべきかを決定する際に、バッテリー電力、雑音指数（ＮＦ）、スループットおよび信号品質など、他のファクタが考慮され得る。
【００３２】
[0041]逆に、受信（Ｒｘ）信号電力１２６が低い場合、制御信号モジュール１２４は、直接サンプリングモードで動作することが、フィルタ処理された信号１３８の十分なスループットまたは品質を生成することにならないと決定し得る。受信（Ｒｘ）信号電力１２６が低い場合、制御信号モジュール１２４は、十分な品質をもつフィルタ処理された信号１３８は、直接サンプリングモードではなく通常サンプリングモードで動作することのみによって取得され得ると決定し得る。さらに、高雑音またはあまり好都合でない環境では、キャリア対雑音（Ｃ／Ｎ）比１３０が低いと決定された場合、制御信号モジュール１２４は、十分な品質をもつフィルタ処理された信号１３８は、直接サンプリングモードではなく通常サンプリングモードで動作することのみによって生成され得ると決定し得る。
【００３３】
[0042]ワイヤレスデバイス１０２は、受信（Ｒｘ）信号１３４の受信（Ｒｘ）信号電力１２６と受信（Ｒｘ）信号電力しきい値１２８とを比較することに基づいて、通常サンプリングモードで動作すべきか直接サンプリングモードで動作すべきかを決定し得る。ワイヤレスデバイス１０２はまた、受信（Ｒｘ）信号１３４のキャリア対雑音（Ｃ／Ｎ）比１３０とキャリア対雑音（Ｃ／Ｎ）比しきい値１３２とを比較することに基づいて、通常サンプリングモードで動作すべきか直接サンプリングモードで動作すべきかを決定し得る。受信（Ｒｘ）信号電力しきい値１２８と、キャリア対雑音（Ｃ／Ｎ）比しきい値１３２値とは、ワイヤレスデバイス１０２の所望の信号品質またはスループットに基づくプリセット値であり得る。一構成では、しきい値は、利用可能な帯域幅、電力容量、バッテリー寿命、雑音指数（ＮＦ）、ユーザ選好、またはワイヤレスデバイス１０２の性能に影響を及ぼし得る他のファクタに応じて変化し得る。
【００３４】
[0043]制御モジュール１２４は、受信（Ｒｘ）信号１３４の受信（Ｒｘ）信号電力１２６を受信（Ｒｘ）信号電力しきい値１２８と比較し得る。受信（Ｒｘ）信号電力１２６が受信（Ｒｘ）信号電力しきい値１２８よりも大きいかまたはそれに等しい場合、制御信号モジュール１２４は、直接サンプリングモードで動作するようにフィルタモジュール１１０に命令するための制御信号１４０を生成し、フィルタモジュール１１０に与え得る。たとえば、受信（Ｒｘ）信号電力しきい値１２８が−５０ｄＢｍ（１ミリワットを基準とする電力のデシベルの比）として指定され、受信（Ｒｘ）信号電力１２６が−４０ｄＢｍで測定された場合、フィルタモジュール１１０は、直接サンプリングモードで動作するように命令され得る。信号の所望のスループットまたは品質を達成するために、受信機（Ｒｘ）信号電力しきい値１２８の特定の値は変化し得る。直接サンプリングモードで動作することは、通常サンプリングモードから直接サンプリングモードに切り替わること（すなわち、フィルタモジュール入力１３６を直接サンプリング経路１１４に結合するようにフィルタモジュール１１０の第１のスイッチ１１６を調整すること、および直接サンプリング経路１１４の出力をアナログデジタル変換器（ＡＤＣ）１２０に結合するようにフィルタモジュール１１０の第２のスイッチ１１８を調整すること）を含み得る。フィルタモジュール１１０はまた、フィルタ処理された信号１３８を直接サンプリングレートでサンプリングするようにアナログデジタル変換器（ＡＤＣ）１２０に命令する制御信号１４０をアナログデジタル変換器（ＡＤＣ）１２０に与え得る。
【００３５】
[0044]受信（Ｒｘ）信号電力１２６が受信（Ｒｘ）信号電力しきい値１２８よりも小さいかまたはそれに等しい場合、制御信号モジュール１２４は、通常サンプリングモードで動作するようにフィルタモジュール１１０に命令する制御信号１４０を生成し、フィルタモジュール１１０に与え得る。たとえば、受信（Ｒｘ）信号電力しきい値１２８が−５５ｄＢｍであり、受信（Ｒｘ）信号電力１２６が−６０ｄＢｍである場合、フィルタモジュール１１０は、通常サンプリングモードで動作するように命令され得る。通常サンプリングモードで動作することは、直接サンプリングから通常サンプリングモードに切り替わること（すなわち、フィルタモジュール入力１３６をゼロ中間周波数（ＺＩＦ）経路１１２に結合するようにフィルタモジュール１１０の第１のスイッチ１１６を調整すること、およびゼロ中間周波数（ＺＩＦ）経路１１２の出力をアナログデジタル変換器（ＡＤＣ）１２０に結合するようにフィルタモジュール１１０の第２のスイッチ１１８を調整すること）をさらに含み得る。フィルタモジュール１１０はまた、フィルタ処理された信号１３８を通常サンプリングレートでサンプリングするようにアナログデジタル変換器（ＡＤＣ）１２０に命令する制御信号１４０をアナログデジタル変換器（ＡＤＣ）１２０に与え得る。
【００３６】
[0045]制御信号モジュール１２４はまた、受信（Ｒｘ）信号１３４のキャリア対雑音（Ｃ／Ｎ）比１３０をキャリア対雑音（Ｃ／Ｎ）比しきい値１３２と比較し得る。キャリア対雑音（Ｃ／Ｎ）比１３０がキャリア対雑音（Ｃ／Ｎ）比しきい値１３２よりも大きいかまたはそれに等しい場合、フィルタモジュール１１０に与えられる制御信号１４０は、直接サンプリングモードで動作するようにフィルタモジュール１１０に命令し得る。たとえば、キャリア対雑音（Ｃ／Ｎ）比しきい値１３２が３５ｄＢｍに設定され、受信（Ｒｘ）信号１３４のキャリア対雑音（Ｃ／Ｎ）比１３０が４５ｄＢｍにある場合、フィルタモジュール１１０は、直接サンプリングモードで動作するように命令され得る。信号の所望のスループットまたは品質を達成するために、キャリア対雑音（Ｃ／Ｎ）比しきい値１３２の特定の値は変化し得る。フィルタモジュール１１０はまた、フィルタ処理された信号１３８を直接サンプリングレートでサンプリングするようにアナログデジタル変換器（ＡＤＣ）１２０に命令する制御信号１４０をアナログデジタル変換器（ＡＤＣ）１２０に与え得る。
【００３７】
[0046]受信（Ｒｘ）信号１３４のキャリア対雑音（Ｃ／Ｎ）比１３０がキャリア対雑音（Ｃ／Ｎ）比しきい値１３２よりも小さいかまたはそれに等しい場合、フィルタモジュール１１０に与えられる制御信号１４０は、通常サンプリングモードで動作するようにフィルタモジュール１１０に命令し得る。たとえば、キャリア対雑音（Ｃ／Ｎ）比しきい値１３２が３５ｄＢｍに設定され、受信信号のキャリア対雑音（Ｃ／Ｎ）比１３０が１０ｄＢｍにある場合、フィルタモジュール１１０は、通常サンプリングモードで動作するように命令され得る。フィルタモジュール１１０はまた、フィルタ処理された信号１３８を通常サンプリングレートでサンプリングするようにアナログデジタル変換器（ＡＤＣ）１２０に命令する制御信号１４０をアナログデジタル変換器（ＡＤＣ）１２０に与え得る。
【００３８】
[0047]図２に、フィルタモジュール２１０の一構成を示す。図２のフィルタモジュール２１０は、図１のフィルタモジュール１１０の一構成であり得る。フィルタモジュール２１０は、フィルタモジュール入力２３６を受信し、フィルタ処理された信号２３８を出力し得る。フィルタモジュール２１０はゼロ中間周波数（ＺＩＦ）経路２１２と直接サンプリング経路２１４とを含み得る。フィルタモジュール２１０は、ゼロ中間周波数（ＺＩＦ）経路２１２または直接サンプリング経路２１４のいずれかを介してフィルタモジュール２１０の入力をフィルタモジュール２１０の出力に結合するために第１のスイッチ２１６と第２のスイッチ２１８とを使用し得る。
【００３９】
[0048]フィルタモジュール２１０は受信機低雑音増幅器（ＬＮＡ）２４２を含み得る。受信機低雑音増幅器（ＬＮＡ）２４２はフィルタモジュール２１０の入力に結合され得る。受信機低雑音増幅器（ＬＮＡ）２４２の出力は第１のスイッチ２１６に結合され得る。
【００４０】
[0049]通常サンプリングモードでは、第１のスイッチ２１６は、受信機低雑音増幅器（ＬＮＡ）２４２の出力をフィルタモジュール２１０のゼロ中間周波数（ＺＩＦ）経路２１２に結合するように調整され得る。ゼロ中間周波数（ＺＩＦ）経路２１２はミキサ２４６と発振器２４８と増幅器２５０とを含み得る。ミキサ２４６は、ゼロ中間周波数（ＺＩＦ）経路２１２に入力される信号の周波数をシフトするかまたはさもなければ変更するための周波数ミキサであり得る。このミキサは発振器２４８に結合され得る。発振器２４８は、ミキサ２４６によって使用される周波数を生成し、入力信号の周波数をシフトし得る。ミキサ２４６は、入力信号と発振器２４８からの周波数とを合成して混合信号を取得し得る。
【００４１】
[0050]ミキサ２４６の出力は増幅器２５０に結合され得る。増幅器２５０は、混合信号を増幅し、ゼロ中間周波数（ＺＩＦ）フィルタ処理された信号２５４を生成し得る。ゼロ中間周波数（ＺＩＦ）フィルタ処理された信号２５４はベースバンド周波数を中心とし得る。ゼロ中間周波数（ＺＩＦ）経路２１２は、フィルタモジュール入力２３６をフィルタ処理するための追加の回路（図示せず）を含み得る。ゼロ中間周波数（ＺＩＦ）フィルタ処理された信号２５４は、第２のスイッチ２１８を介してフィルタモジュール２１０の出力に与えられ得る。
【００４２】
[0051]直接サンプリングモードでは、第１のスイッチ２１６は、受信機低雑音増幅器（ＬＮＡ）２４２の出力をフィルタモジュール２１０の直接サンプリング経路２１４に結合するように調整され得る。直接サンプリング経路２１４はチューナブルフィルタモジュール２４４を含み得る。チューナブルフィルタモジュール２４４は、直接サンプリング経路２１４内に実装される１つまたは複数のフィルタ（たとえば、チューナブルフィルタ、ローパスフィルタ、バンドパスフィルタ、表面弾性波（ＳＡＷ）フィルタなど）を含み得る。チューナブルフィルタモジュール２４４は、より高い周波数が通るのを防止しながら、低周波数信号が通ることを可能にし得る。チューナブルフィルタモジュール２４４は、受信（Ｒｘ）信号１３４へのデュプレクサ１０６の作用（たとえば、フライバック）に対抗するために使用され得る。チューナブルフィルタモジュール２４４はまた、より高い周波数における受信（Ｒｘ）信号１３４への雑音の効果および他の望ましくない影響を低減し得る。チューナブルフィルタモジュール２４４は、チューナブルフィルタ処理された信号２５６を出力し得る。チューナブルフィルタ処理された信号２５６は、第２のスイッチ２１８を介してフィルタモジュール２１０の出力に与えられ得る。
【００４３】
[0052]図３は、本システムおよび方法において使用するためのチューナブルフィルタブロック３４４の一構成の回路図である。図３のチューナブルフィルタブロック３４４は、図２に関して説明したチューナブルフィルタモジュール２４４の一部として使用され得るフィルタの一構成である。さらに、信号の周波数のある範囲を通すために、フィルタ（たとえば、チューナブルフィルタ、ローパスフィルタ）の他の構成が使用され得る。一例では、チューナブルフィルタブロック３４４は、抵抗器３５８ａ〜ｂと、キャパシタ３５９ａ〜ｂと、インダクタ３６１との組合せを含み得る。図３は、増幅されたフィルタモジュール入力３５２の高い周波数を遮断しながら低い周波数を通すために、抵抗器３５８とキャパシタ３５９とインダクタ３６１とがどのように構成され得るかの一例を示している。
【００４４】
[0053]チューナブルフィルタブロック３４４への入力は、増幅されたフィルタモジュール入力３５２と呼ぶことがある。チューナブルフィルタブロック３４４は、チューナブルフィルタ処理された信号３５６を出力し得る。増幅器フィルタモジュール入力３５２は受信機低雑音増幅器（ＬＮＡ）２４２の出力に結合され得る。一構成では、チューナブルフィルタブロック３４４は、増幅されたフィルタモジュール入力３５２と接地との間に結合された第１の抵抗器３５８ａ、および増幅されたフィルタモジュール入力３５２と接地との間に結合された第１のキャパシタ３５９ａを含み得る。増幅されたフィルタモジュール入力３５２とチューナブルフィルタブロック３４４の出力との間にインダクタ３６１が結合され得る。チューナブルフィルタブロック３４４の出力と接地との間に第２のインダクタ３５９ｂが結合され得る。チューナブルフィルタブロック３４４の出力と接地との間に第２の抵抗器３５８ｂも結合され得る。
【００４５】
[0054]図４は、通常サンプリングモードと直接サンプリングモードとの間で切り替わるための方法４００のフローチャートである。方法４００はワイヤレスデバイス１０２によって実行され得る。ワイヤレスデバイス１０２は、フィルタモジュール１１０と制御信号モジュール１２４とを含み得る。一構成では、本方法は制御信号モジュール１２４によって実行され得る。
【００４６】
[0055]ワイヤレスデバイス１０２は、４０２において、アンテナ１０４を使用して受信（Ｒｘ）信号１３４を受信し得る。ワイヤレスデバイス１０２は、４０４において、受信（Ｒｘ）信号電力１２６が受信（Ｒｘ）信号電力しきい値１２８よりも大きいかどうかを決定し得る。４０４において受信（Ｒｘ）信号電力１２６が受信（Ｒｘ）信号電力しきい値１２８よりも大きいと決定された場合、ワイヤレスデバイス１０２は、直接サンプリングモードで動作することに切り替わるようにフィルタモジュール１１０に命令し得る。まだ直接サンプリングモードでない場合、フィルタモジュール２１０は、直接サンプリングモードで動作することに切り替わり得る。直接サンプリングモードで動作することに切り替わる際に、ワイヤレスデバイス１０２は、４０６において、フィルタモジュール１１０の入力を直接サンプリング経路１１４の入力に結合するように第１のスイッチ１１６を調整し得る。ワイヤレスデバイス１０２はまた、４０８において、直接サンプリング経路１１４の出力をアナログデジタル変換器（ＡＤＣ）１２０に結合するように第２のスイッチ１１８を調整し得る。
【００４７】
[0056]ワイヤレスデバイス１０２は、４１０において、チューナブルフィルタモジュール２４４を使用して、増幅されたフィルタモジュール入力２５２をフィルタ処理し得る。チューナブルフィルタモジュール２４４は、より高い周波数信号をフィルタ処理して除去しながら、低周波数信号が直接サンプリング経路２１４を通過することを可能にし得る。チューナブルフィルタモジュール２４４は、より高い周波数における受信（Ｒｘ）信号１３４へのデュプレクサ１０６のいくつかの負の効果（たとえば、フライバック）および他の望ましくない影響に対抗するために使用され得る。ワイヤレスデバイス１０２は、４１２において、フィルタ処理された信号２３８をアナログデジタル変換器（ＡＤＣ）１２０に与え得る。
【００４８】
[0057]直接サンプリングモードにおいて、ワイヤレスデバイス１０２は、４１４において、アナログデジタル変換器（ＡＤＣ）１２０を使用して直接サンプリングレートで、フィルタ処理された信号をサンプリングし得る。直接サンプリングレートは様々な異なるサンプリングレート間にわたり得る。たとえば、直接サンプリングレートはナイキストレートであり得る。別の構成では、直接サンプリングレートはアンダーサンプリングレートであり得る。アンダーサンプリングレートは、ナイキストレートを下回るが、フィルタモジュール入力１３６を再構成することが依然として可能であるレートを含み得る。一例では、アンダーサンプリングレートは、ベースバンド周波数の２倍を下回るか、またはフィルタモジュール入力１３６の上側バンドパス周波数の２倍を下回る周波数を含み得る。直接サンプリングレートはまた、対応する技術ノードが何を可能にするかに基づいて、ナイキストレートと通常サンプリングレートとの間のオーバーサンプリングレートであり得る。フィルタ処理された信号１３８をサンプリングすることによって、アナログデジタル変換器（ＡＤＣ）１２０は、フィルタ処理された信号１３８を、フィルタ処理された信号１３８のデジタル近似に変換し得る。
【００４９】
[0058]４０４において受信（Ｒｘ）信号電力１２６が受信（Ｒｘ）信号電力しきい値１２８よりも大きくないと決定された場合、ワイヤレスデバイス１０２は、通常サンプリングモードで動作することに切り替わるようにフィルタモジュール１１０に命令し得る。まだ通常サンプリングモードでない場合、フィルタモジュール１１０は、通常サンプリングモードで動作することに切り替わり得る。通常サンプリングモードで動作することに切り替わる際に、ワイヤレスデバイス１０２は、４１６において、フィルタモジュール１１０の入力をゼロ中間周波数（ＺＩＦ）経路１１２の入力に結合するように第１のスイッチ１１６を調整し得る。ワイヤレスデバイス１０２はまた、４１８において、ゼロ中間周波数（ＺＩＦ）経路１１２の出力をアナログデジタル変換器（ＡＤＣ）１２０に結合するように第２のスイッチ１１８を調整し得る。
【００５０】
[0059]ワイヤレスデバイス１０２は、４２０において、ゼロ中間周波数（ＺＩＦ）経路２１２を使用して、増幅されたフィルタモジュール入力２５２をフィルタ処理し得る。ゼロ中間周波数（ＺＩＦ）経路２１２は、増幅されたフィルタモジュール入力２５２をフィルタ処理するために、ミキサ２４６、発振器２４８、増幅器２５０および他の構成要素を含み得る。ゼロ中間周波数（ＺＩＦ）経路２１２は、ゼロ中間周波数（ＺＩＦ）フィルタ処理された信号２５４をフィルタモジュール２１０の出力に与え得る。このようにして、ワイヤレスデバイス１０２は、４２２において、フィルタ処理された信号２３８をアナログデジタル変換器（ＡＤＣ）１２０に与え得る。
【００５１】
[0060]通常サンプリングモードにおいて、ワイヤレスデバイス１０２は、４２４において、アナログデジタル変換器（ＡＤＣ）１２０を使用して通常サンプリングレートで、フィルタ処理された信号１３８をサンプリングし得る。通常サンプリングレートは、ワイヤレスデバイス１０２またはアナログデジタル変換器（ＡＤＣ）１２０の設定に対応する所定のレートであるか、あるいは受信（Ｒｘ）信号１３４の周波数に基づき得る。通常サンプリングレートは、ゼロ中間周波数（ＺＩＦ）経路１１２の仕様または設定に対応し得る。一構成では、通常サンプリングレートはナイキストレート（受信（Ｒｘ）信号１３４の帯域幅の２倍）であり得る。代替的に、通常サンプリングレートはナイキストレートよりも高くまたは低くなり得る。フィルタ処理された信号１３８をサンプリングすることによって、アナログデジタル変換器（ＡＤＣ）１２０は、フィルタ処理された信号１３８を、フィルタ処理された信号１３８のデジタル近似に変換し得る。
【００５２】
[0061]図５は、直接サンプリングモードにおいて使用するための複数のフィルタ経路を示すグラフである。このグラフは、デュプレクサフィルタ経路５６０の利得およびチューナブルフィルタモジュールフィルタ経路５６２の利得対周波数の例を示している。グラフにおいて、アナログデジタル変換器（ＡＤＣ）１２０のサンプル周波数はｆｓである。
【００５３】
[0062]デュプレクサフィルタ経路５６０は、特定の範囲の周波数を通すように構成され得る。デュプレクサ１０６はまた、指定されたまたは所望の周波数の範囲を下回るどんな周波数をも遮断し得る。デュプレクサ１０６は、無線周波数（ＲＦ）スペクトルに対応する周波数範囲を通すように設計され得る。たとえば、デュプレクサ１０６は、ＴＶスペクトルに対応する周波数の範囲を通すように設計され得る。一構成では、デュプレクサ１０６は４００〜１０００メガヘルツ（ＭＨｚ）の間の周波数を通し得る。別の構成では、デュプレクサ１０６は４１２〜６９０ＭＨｚの間の周波数を通し得る。別の構成では、デュプレクサ１０６は４６０〜６１４ＭＨｚの間の周波数を通し得る。さらに別の構成では、デュプレクサ１０６は４７０〜５００ＭＨｚの間の周波数を通し得る。デュプレクサ１０６は、ワイヤレスデバイス１０２の利用可能な帯域幅、能力またはアプリケーション要件に応じて異なる範囲の周波数を通し得る。
【００５４】
[0063]デュプレクサ１０６は、より低い周波数において受信（Ｒｘ）信号１３４の品質を劣化させ得る干渉、妨害物および他の雑音源を遮断し得るが、ベースバンド周波数においてまたはより高い周波数において受信（Ｒｘ）信号１３４の品質に悪影響を及ぼし得る他の干渉源または雑音が存在し得る。たとえば、妨害物が、より低い周波数において信号送信を遮断している場合、妨害物は、デュプレクサ１０６によって通された周波数の範囲と周波数が重複するエイリアス化された雑音を生成し得る。デュプレクサ１０６はまた、より高い周波数において信号に影響を及ぼし得る、エイリアス化された雑音、干渉、アンチエイリアシング、リーク、フライバック、パッケージング欠陥および他のファクタを防止することができないことがある。
【００５５】
[0064]受信（Ｒｘ）信号１３４への高周波数影響を補償するために、直接サンプリング経路２１４においてチューナブルフィルタモジュール２４４が実装され得る。チューナブルフィルタモジュールフィルタ経路５６２は、チューナブルフィルタモジュール２４４により、デュプレクサ１０６が遮断することができないことがある高周波数信号をフィルタ処理して除去しながら、より低い周波数信号が通ることが可能になることを示す。直接サンプリング経路２１４に従う信号をフィルタ処理するために、デュプレクサ１０６とチューナブルフィルタモジュール２４４とは一緒に実装され得る。デュプレクサ１０６は、特定の範囲の周波数を通しながら、低周波数信号をフィルタ処理して除去するために使用され得る。チューナブルフィルタモジュール２４４は、高い周波数において受信信号の品質を低下させ得る高周波数信号をフィルタ処理して除去するために使用され得る。デュプレクサ１０６とチューナブルフィルタモジュール２４４との組合せは、指定された周波数範囲外の低い周波数と高い周波数とにおいて望ましくない影響をフィルタ処理して除去しながら、特定の範囲の周波数を通すために使用され得る。
【００５６】
[0065]図６に、フィルタモジュール６１０の別の構成を示す。図６のフィルタモジュール６１０は、図１のフィルタモジュール１１０の一構成であり得る。フィルタモジュール６１０は、フィルタモジュール入力６３６を受信し、ゼロ中間周波数経路６１２を使用してゼロ中間周波数（ＺＩＦ）信号６６４を出力するか、あるいは直接サンプリング経路６１４を使用して直接サンプリングされた信号６６６を出力し得る。フィルタモジュール６１０は、ゼロ中間周波数（ＺＩＦ）経路６１２または直接サンプリング経路６１４のいずれかを介してフィルタモジュール６１０の入力をフィルタモジュール６１０の出力に結合するために第１のスイッチ６１６と第２のスイッチ６１８とを使用し得る。
【００５７】
[0066]フィルタモジュール入力６３６は、受信（Ｒｘ）信号１３４周波数を中心とした帯域信号であり得る。より高い周波数において、フィルタモジュール入力６３６は、受信（Ｒｘ）信号１３４に影響を及ぼし得るフライバック、パッケージング、エイリアス雑音、妨害物または他の有害な影響によって影響を受け得る。
【００５８】
[0067]フィルタモジュール６１０は受信機低雑音増幅器（ＬＮＡ）６４２を含み得る。受信機低雑音増幅器（ＬＮＡ）６４２はフィルタモジュール６１０の入力に結合され得る。受信機低雑音増幅器（ＬＮＡ）６４２の出力は第１のスイッチ６１６に結合され得る。受信機低雑音増幅器（ＬＮＡ）６４２は、フィルタモジュール入力６３６を増幅し、増幅されたフィルタモジュール入力６５２を出力し得る。
【００５９】
[0068]通常サンプリングモードでは、第１のスイッチ６１６は、受信機低雑音増幅器（ＬＮＡ）６４２の出力をフィルタモジュール６１０のゼロ中間周波数（ＺＩＦ）経路６１２に結合するように調整され得る。ゼロ中間周波数（ＺＩＦ）経路６１２はミキサ６４６と発振器６４８と増幅器６５０とを含み得る。ミキサ６４６は、ゼロ中間周波数（ＺＩＦ）経路６１２に入力される信号の周波数をシフトするかまたはさもなければ変更するための周波数ミキサであり得る。ミキサ６４６は発振器６４８に結合され得る。発振器６４８は、ミキサ６４６によって使用される周波数を生成し、入力信号の周波数をシフトし得る。ミキサ６４６は、入力信号と発振器６４８からの周波数とを合成して混合信号を取得し得る。
【００６０】
[0069]ミキサ６４６の出力は増幅器６５０に結合され得る。増幅器６５０は混合信号を増幅し得る。ゼロ中間周波数経路６１２は、ゼロ中間周波数（ＺＩＦ）フィルタ処理された信号６５４を出力し得る。ゼロ中間周波数（ＺＩＦ）フィルタ処理された信号６５４はベースバンド周波数を中心とし得る。ゼロ中間周波数（ＺＩＦ）経路６１２は、増幅されたフィルタモジュール入力６５２をフィルタ処理するための追加の回路（図示せず）を含み得る。ゼロ中間周波数（ＺＩＦ）フィルタ処理された信号６５４は、第２のスイッチ６１８を介してフィルタモジュール６１０の出力に与えられ得る。
【００６１】
[0070]フィルタモジュール６１０の出力はアナログデジタル変換器（ＡＤＣ）６２０に与えられ得る。通常サンプリングモードでは、アナログデジタル変換器（ＡＤＣ）６２０は、通常サンプリングレートでフィルタモジュール６１０の出力をサンプリングし得る。通常サンプリングモードでは、アナログデジタル変換器（ＡＤＣ）６２０はゼロ中間周波数（ＺＩＦ）信号６６４を出力し得る。ゼロ中間周波数（ＺＩＦ）信号６６４は、ベースバンド周波数を中心とするフィルタモジュール６１０の出力の高品質デジタル近似であり得る。
【００６２】
[0071]直接サンプリングモードでは、第１のスイッチ６１６は、受信機低雑音増幅器（ＬＮＡ）６４２の出力をフィルタモジュール６１０の直接サンプリング経路６１４に結合するように調整され得る。直接サンプリング経路６１４はチューナブルフィルタモジュール６４４を含み得る。チューナブルフィルタモジュール６４４は、より高い周波数が通るのを防止しながら、低周波数信号が通ることを可能にし得る。チューナブルフィルタモジュール６４４は、受信（Ｒｘ）信号１３４へのデュプレクサ１０６の作用（たとえば、フライバック）に対抗するために使用され得る。チューナブルフィルタモジュール６４４はまた、より高い周波数における受信（Ｒｘ）信号１３４への雑音の効果および他の望ましくない影響を低減し得る。チューナブルフィルタモジュール６４４は、チューナブルフィルタ処理された信号６５６を出力し得る。チューナブルフィルタ処理された信号６５６は、第２のスイッチ６１８を介してフィルタモジュール６１０の出力に与えられ得る。チューナブルフィルタ処理された信号６５６は、より高い周波数影響の一部がないフィルタモジュール入力６３６と同様であり得る。
【００６３】
[0072]直接サンプリングモードでは、アナログデジタル変換器（ＡＤＣ）６２０は、直接サンプリングレートでフィルタモジュール６１０の出力をサンプリングし得る。直接サンプリングモードでは、アナログデジタル変換器（ＡＤＣ）６２０は、直接サンプリングされた信号６６６を出力し得る。直接サンプリングされた信号６６６は、ベースバンド周波数の近くに受信（Ｒｘ）信号のレプリカを含むフィルタモジュール６１０の出力のデジタル近似であり得る。
【００６４】
[0073]図７は、通常サンプリングモードからのゼロ中間周波数（ＺＩＦ）信号７６４と、直接サンプリングモードからの直接サンプリングされた信号とを示すグラフである。通常サンプリングモードでは、受信（Ｒｘ）信号１３４は、デュプレクサ１０６と、整合ネットワーク１０８と、フィルタモジュール１１０のゼロ中間周波数（ＺＩＦ）経路１１２とを通過し得る。デュプレクサ１０６は、受信（Ｒｘ）信号１３４の特定の周波数範囲を分離し得る。フィルタモジュール入力１３６がフィルタモジュール１１０に与えられ、ゼロ中間周波数（ＺＩＦ）経路１１２を通過し得る。フィルタモジュール１１０は、フィルタ処理された信号１３８を出力し、そのフィルタ処理された信号１３８をアナログデジタル（ＡＤＣ）変換器１２０に与え得る。アナログデジタル変換器（ＡＤＣ）１２０は、通常サンプリングレートで、フィルタ処理された信号１３８をサンプリングし、ゼロ中間周波数（ＺＩＦ）信号７６４を出力し得る。通常サンプリングモードでは、ゼロ中間周波数（ＺＩＦ）信号７６４は、ベースバンド周波数を中心とする受信（Ｒｘ）信号１３４の高品質デジタル近似であり得る。
【００６５】
[0074]直接サンプリングモードでは、受信（Ｒｘ）信号１３４は、デュプレクサ１０６と、整合ネットワーク１０８と、フィルタモジュール１１０の直接サンプリング経路１１４とを通過し得る。デュプレクサ１０６は、受信（Ｒｘ）信号１３４の特定の周波数範囲を分離し得る。フィルタモジュール入力１３６がフィルタモジュール１１０に与えられ、直接サンプリング経路１１４を通過し得る。フィルタモジュール１１０は、フィルタ処理された信号１３８を出力し、そのフィルタ処理された信号１３８をアナログデジタル変換器（ＡＤＣ）１２０に与え得る。アナログデジタル変換器（ＡＤＣ）１２０は、直接サンプリングレートで、フィルタ処理された信号１３８をサンプリングし、直接サンプリングされた信号を出力し得る。直接サンプリングモードでは、直接サンプリングされた信号は、受信（Ｒｘ）信号１３４周波数において直接サンプリングされた受信（Ｒｘ）信号７７０を含み得る。いくつかの構成では、直接サンプリングされた受信（Ｒｘ）信号７７０は、受信（Ｒｘ）信号１３４の周波数よりも高いまたは低い周波数にあり得る。直接サンプリングされた信号はまた、ベースバンド周波数の近くに受信（Ｒｘ）信号７７２のレプリカを含み得る。いくつかの構成では、サンプリング周波数（ｆｓ）が受信（Ｒｘ）信号の周波数の２倍よりも大きい場合、直接サンプリングレートはナイキストレートまたはオーバーサンプリングレートであり得る。
【００６６】
[0075]図８は、通常サンプリングモードと直接サンプリングモードとの間で切り替わるための別の方法８００のフローチャートである。方法８００はワイヤレスデバイス１０２によって実行され得る。ワイヤレスデバイス１０２は、フィルタモジュール１１０と制御信号モジュール１２４とを含み得る。一構成では、本方法は制御信号モジュール１２４によって実行され得る。
【００６７】
[0076]ワイヤレスデバイス１０２は、８０２において、アンテナ１０４を使用して受信（Ｒｘ）信号１３４を受信し得る。ワイヤレスデバイス１０２は、８０４において、受信（Ｒｘ）信号電力１２６が受信（Ｒｘ）信号電力しきい値１２８よりも大きいかどうかを決定し得る。８０４において受信（Ｒｘ）信号電力１２６が受信（Ｒｘ）信号電力しきい値１２８よりも大きいと決定された場合、ワイヤレスデバイス１０２は、８０６において、受信（Ｒｘ）信号１３４のキャリア対雑音（Ｃ／Ｎ）比１３０がキャリア対雑音（Ｃ／Ｎ）比しきい値１３２よりも大きいかどうかをも決定し得る。
【００６８】
[0077]キャリア対雑音（Ｃ／Ｎ）比１３０がキャリア対雑音（Ｃ／Ｎ）比しきい値１３２よりも大きい場合、ワイヤレスデバイス１０２は、直接サンプリングモードで動作することに切り替わるようにフィルタモジュール１１０に命令し得る。まだ直接サンプリングモードでない場合、フィルタモジュール１１０は、直接サンプリングモードで動作することに切り替わり得る。直接サンプリングモードで動作することに切り替わる際に、ワイヤレスデバイスは、８０８において、フィルタモジュール１１０の入力を直接サンプリング経路１１４の入力に結合するように第１のスイッチ１１６を調整し得る。フィルタモジュール１１０はまた、８１０において、直接サンプリング経路１１４の出力をアナログデジタル変換器（ＡＤＣ）１２０に結合するように第２のスイッチ１１８を調整し得る。
【００６９】
[0078]ワイヤレスデバイス１０２は、８１２において、チューナブルフィルタモジュール２４４を使用して、増幅されたフィルタモジュール入力２５２をフィルタ処理し得る。チューナブルフィルタモジュール２４４は、より高い周波数信号をフィルタ処理して除去しながら、低周波数信号が直接サンプリング経路２１４を通過することを可能にし得る。チューナブルフィルタモジュール２４４は、より高い周波数における受信（Ｒｘ）信号１３４へのデュプレクサ１０６のいくつかの負の効果（たとえば、フライバック）および他の望ましくない影響に対抗するために使用され得る。ワイヤレスデバイス１０２は、８１４において、フィルタ処理された信号２３８をアナログデジタル変換器（ＡＤＣ）１２０に与え得る。
【００７０】
[0079]ワイヤレスデバイス１０２は、次いで８１６において、アナログデジタル変換器（ＡＤＣ）１２０を使用して直接サンプリングレートで、フィルタ処理された信号２３８をサンプリングし得る。直接サンプリングレートは様々な異なるサンプリングレート間にわたり得る。たとえば、直接サンプリングレートはナイキストレートであり得る。別の構成では、直接サンプリングレートはアンダーサンプリングレートであり得る。アンダーサンプリングレートは、ナイキストレートを下回るが、フィルタモジュール入力１３６を再構成することが依然として可能であるレートを含み得る。一例では、アンダーサンプリングレートは、ベースバンド周波数の２倍を下回るか、またはフィルタモジュール入力１３６の上側バンドパス周波数の２倍を下回る周波数を含み得る。直接サンプリングレートはまた、対応する技術ノードが何を可能にするかに基づいて、ナイキストレートと通常サンプリングレートとの間のオーバーサンプリングレートであり得る。フィルタ処理された信号１３８をサンプリングすることによって、アナログデジタル変換器（ＡＤＣ）１２０は、フィルタ処理された信号１３８を、フィルタ処理された信号１３８のデジタル近似に変換し得る。
【００７１】
[0080]８０４において受信（Ｒｘ）信号電力１２６が受信（Ｒｘ）信号電力しきい値１２８よりも大きくないと決定された場合、または８０６において受信（Ｒｘ）信号１３４のキャリア対雑音（Ｃ／Ｎ）比１３０がキャリア対雑音（Ｃ／Ｎ）比しきい値１３２よりも大きくないと決定された場合、ワイヤレスデバイス１０２は、通常サンプリングモードで動作することに切り替わるようにフィルタモジュール１１０に命令し得る。まだ通常サンプリングモードでない場合、フィルタモジュール１１０は、通常サンプリングモードで動作することに切り替わり得る。通常サンプリングモードで動作することに切り替わる際に、ワイヤレスデバイス１０２は、８１８において、フィルタモジュール１１０の入力をゼロ中間周波数（ＺＩＦ）経路１１２の入力に結合するように第１のスイッチ１１６を調整し得る。ワイヤレスデバイス１０２はまた、８２０において、ゼロ中間周波数（ＺＩＦ）経路１１２の出力をアナログデジタル変換器（ＡＤＣ）１２０に結合するように第２のスイッチ１１８を調整し得る。
【００７２】
[0081]ワイヤレスデバイス１０２は、８２２において、ゼロ中間周波数（ＺＩＦ）経路２１２を使用して、増幅されたフィルタモジュール入力２５２をフィルタ処理し得る。ゼロ中間周波数（ＺＩＦ）経路２１２は、増幅されたフィルタモジュール入力２５２をフィルタ処理するために、ミキサ２４６、発振器２４８、増幅器２５０および他の構成要素を含み得る。ゼロ中間周波数（ＺＩＦ）経路２１２は、ゼロ中間周波数（ＺＩＦ）フィルタ処理された信号２５４をフィルタモジュール２１０の出力に与え得る。ワイヤレスデバイス１０２は、８２４において、フィルタ処理された信号２３８をアナログデジタル変換器（ＡＤＣ）１２０に与え得る。
【００７３】
[0082]通常サンプリングモードにおいて、ワイヤレスデバイス１０２は、８２６において、アナログデジタル変換器（ＡＤＣ）１２０を使用して通常サンプリングレートで、フィルタ処理された信号１３８をサンプリングし得る。通常サンプリングレートは、ワイヤレスデバイス１０２またはアナログデジタル変換器（ＡＤＣ）１２０の設定に対応する所定のレートであるか、あるいは受信（Ｒｘ）信号１３４の周波数に基づき得る。通常サンプリングレートは、ゼロ中間周波数（ＺＩＦ）経路１１２の仕様または設定に対応し得る。一構成では、通常サンプリングレートはナイキストレート（受信（Ｒｘ）信号１３４の帯域幅の２倍）であり得る。代替的に、通常サンプリングレートはナイキストレートよりも高くまたは低くなり得る。フィルタ処理された信号１３８をサンプリングすることによって、アナログデジタル変換器（ＡＤＣ）１２０は、フィルタ処理された信号１３８を、フィルタ処理された信号１３８のデジタル近似に変換し得る。
【００７４】
[0083]図９に、ワイヤレス通信デバイス９０２内に含まれ得るいくつかの構成要素を示す。ワイヤレス通信デバイス９０２は、アクセス端末、移動局、ユーザ機器（ＵＥ）などであり得る。ワイヤレス通信デバイス９０２はプロセッサ９０３を含む。プロセッサ９０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ９０３は中央処理ユニット（ＣＰＵ）と呼ばれることがある。図９のワイヤレス通信デバイス９０２では単一のプロセッサ９０３のみが示されているが、代替構成では、プロセッサの組合せ（たとえば、ＡＲＭとＤＳＰ）が使用され得る。
【００７５】
[0084]ワイヤレス通信デバイス９０２はメモリ９０５をも含む。メモリ９０５は、電子情報を記憶することが可能な任意の電子的構成要素であり得る。メモリ９０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ内に含まれるオンボードメモリ、ＥＰＲＯＭメモリ、ＥＥＰＲＯＭ（登録商標）メモリ、レジスタなど、およびそれらの組合せとして実施され得る。
【００７６】
[0085]データ９０７ａおよび命令９０９ａがメモリ９０５に記憶され得る。命令９０９ａは、本明細書で開示する方法を実装するためにプロセッサ９０３によって実行可能であり得る。命令９０９ａを実行することは、メモリ９０５に記憶されたデータ９０７ａの使用を伴い得る。プロセッサ９０３が命令９０９を実行すると、命令９０９ｂの様々な部分がプロセッサ９０３上にロードされ得、様々ないくつかのデータ９０７ｂがプロセッサ９０３上にロードされ得る。
【００７７】
[0086]ワイヤレス通信デバイス９０２はまた、アンテナ９１７を介したワイヤレス通信デバイス９０２との間の信号の送信および受信を可能にするために、送信機９１１および受信機９１３を含み得る。送信機９１１および受信機９１３はトランシーバ９１５と総称され得る。ワイヤレス通信デバイス９０２はまた、複数の送信機、追加のアンテナ、複数の受信機および／または複数のトランシーバ（図示せず）を含み得る。
【００７８】
[0087]ワイヤレス通信デバイス９０２はデジタル信号プロセッサ（ＤＳＰ）９２１を含み得る。ワイヤレス通信デバイス９０２は通信インターフェース９２３をも含み得る。通信インターフェース９２３は、ユーザがワイヤレス通信デバイス９０２と対話することを可能にし得る。
【００７９】
[0088]ワイヤレス通信デバイス９０２の様々な構成要素は、電力バス、制御信号バス、ステータス信号バス、データバスなどを含み得る、１つまたは複数のバスによって互いに結合され得る。明快のために、図９では様々なバスはバスシステム９１９として示されている。
【００８０】
[0089]図１０に、基地局１００２内に含まれ得るいくつかの構成要素を示す。基地局は、アクセスポイント、ブロードキャスト送信機、ノードＢ、発展型ノードＢなどとも呼ばれることがあり、それらの機能の一部または全部を含み得る。基地局１００２はプロセッサ１００３を含む。プロセッサ１００３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１００３は中央処理ユニット（ＣＰＵ）と呼ばれることがある。図１０の基地局１００２では単一のプロセッサ１００３のみが示されているが、代替構成では、プロセッサの組合せ（たとえば、ＡＲＭとＤＳＰ）が使用され得る。
【００８１】
[0090]基地局１００２はメモリ１００５をも含む。メモリ１００５は、電子情報を記憶することが可能な任意の電子的構成要素であり得る。メモリ１００５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ内に含まれるオンボードメモリ、ＥＰＲＯＭメモリ、ＥＥＰＲＯＭメモリ、レジスタなど、およびそれらの組合せとして実施され得る。
【００８２】
[0091]データ１００７ａおよび命令１００９ａがメモリ１００５に記憶され得る。命令１００９ａは、本明細書で開示する方法を実装するためにプロセッサ１００３によって実行可能であり得る。命令１００９ａを実行することは、メモリ１００５に記憶されたデータ１００７ａの使用を伴い得る。プロセッサ１００３が命令１００９ａを実行すると、命令１００９ｂの様々な部分がプロセッサ１００３上にロードされ得、様々ないくつかのデータ１００７ｂがプロセッサ１００３上にロードされ得る。
【００８３】
[0092]基地局１００２はまた、基地局１００２との間の信号の送信および受信を可能にするために、送信機１０１１および受信機１０１３を含み得る。送信機１０１１および受信機１０１３はトランシーバ１０１５と総称され得る。アンテナ１０１７はトランシーバ１０１５に電気的に結合され得る。基地局１００２はまた、複数の送信機、複数の受信機、複数のトランシーバおよび／または複数のアンテナ（図示せず）を含み得る。
【００８４】
[0093]基地局１００２はデジタル信号プロセッサ（ＤＳＰ）１０２１を含み得る。基地局１００２は通信インターフェース１０２３をも含み得る。通信インターフェース１０２３は、ユーザが基地局１００２と対話することを可能にし得る。
【００８５】
[0094]基地局１００２の様々な構成要素は、電力バス、制御信号バス、ステータス信号バス、データバスなどを含み得る、１つまたは複数のバスによって互いに結合され得る。明快のために、図１０では様々なバスはバスシステム１０１９として示されている。
【００８６】
[0095]「決定」という用語は、多種多様なアクションを包含し、したがって、「決定」は、計算、算出、処理、導出、調査、探索（たとえば、テーブル、データベースまたは別のデータ構造での探索）、確認などを含むことができる。また、「決定」は、受信（たとえば、情報を受信すること）、アクセス（たとえば、メモリ中のデータにアクセスすること）などを含むことができる。また、「決定」は、解決、選択、選定、確立などを含むことができる。
【００８７】
[0096]「に基づいて」という句は、別段に明記されていない限り、「のみに基づいて」を意味しない。言い換えれば、「に基づいて」という句は、「のみに基づいて」と「に少なくとも基づいて」の両方を表す。
【００８８】
[0097]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されるべきである。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成を指し得る。
【００８９】
[0098]「メモリ」という用語は、電子情報を記憶することが可能な任意の電子的構成要素を包含するものと広く解釈されるべきである。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指し得る。プロセッサがメモリから情報を読み取り、および／またはメモリに情報を書き込むことができる場合、メモリはプロセッサと電子通信していると言われる。プロセッサに一体化されたメモリはプロセッサと電子通信している。
【００９０】
[0099]「命令」および「コード」という用語は、任意のタイプのコンピュータ可読ステートメントを含むものと広く解釈されるべきである。たとえば、「命令」および「コード」という用語は、１つまたは複数のプログラム、ルーチン、サブルーチン、関数、プロシージャなどを指し得る。「命令」および「コード」は、単一のコンピュータ可読ステートメント、または多くのコンピュータ可読ステートメントを備え得る。
【００９１】
[00100]本明細書で説明した機能は、ハードウェアによって実行されるソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る、任意の有形の記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disk）は、データをレーザーで光学的に再生する。コンピュータ可読媒体は、有形で非一時的であり得ることに留意されたい。「コンピュータプログラム製品」という用語は、コンピューティングデバイスまたはプロセッサによって実行、処理または算出され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指し得る。
【００９２】
[00101]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線およびマイクロ波などのワイヤレス技術は、伝送媒体の定義に含まれる。
【００９３】
[00102]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、説明されている方法の適切な動作のためにステップまたは動作の特定の順序が必要とされない限り、特定のステップおよび／またはアクションの順序および／または使用は、特許請求の範囲から逸脱することなく修正され得る。
【００９４】
[00103]さらに、図４および図８によって示されたものなど、本明細書で説明した方法および技法を実行するためのモジュールおよび／または他の適切な手段は、デバイスによってダウンロードされ、および／または他の方法で取得され得ることを理解されたい。たとえば、デバイスは、本明細書で説明した方法を実行するための手段の転送を可能にするために、サーバに結合され得る。代替的に、本明細書で説明した様々な方法は、記憶手段をデバイスに結合するかまたは提供するときにデバイスがそれらの様々な方法を取得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）を介して提供され得る。その上、本明細書で説明した方法および技法をデバイスに提供するための任意の他の好適な技法が利用され得る。
【００９５】
[00104]特許請求の範囲は、上記で示した厳密な構成および構成要素に限定されないことを理解されたい。特許請求の範囲から逸脱することなく、本明細書で説明したシステム、方法および装置の構成、動作および詳細において、様々な修正、変更および変形が行われ得る。
以下に、本願出願の当初の特許請求の範囲に記載された発明を付記する。
［Ｃ１］
直接サンプリングモードでの動作のために使用される直接サンプリング経路と、
通常サンプリングモードでの動作のためのゼロ中間周波数経路と、
フィルタモジュール入力を前記直接サンプリング経路の入力および前記ゼロ中間周波数経路の入力に結合する第１のスイッチと、
フィルタモジュール出力を前記直接サンプリング経路の出力および前記ゼロ中間周波数経路の出力に結合する第２のスイッチと
を備え、前記第１のスイッチと前記第２のスイッチとは、受信信号電力に基づいて前記直接サンプリング経路と前記ゼロ中間周波数経路との間で切り替わるように構成される、チャネル状態に基づいてワイヤレス信号を受信するためのワイヤレスデバイス。
［Ｃ２］
前記第１のスイッチと前記第２のスイッチとは、前記直接サンプリングモードで動作しているとき、信号が前記直接サンプリング経路を通過することを可能にするように配置される、
Ｃ１に記載のワイヤレスデバイス。
［Ｃ３］
前記第１のスイッチと前記第２のスイッチとは、通常サンプリングモードで動作しているとき、信号が前記ゼロ中間周波数経路を通過することを可能にするように配置される、Ｃ１に記載のワイヤレスデバイス。
［Ｃ４］
前記第２のスイッチに結合されたアナログデジタル変換器をさらに備える、Ｃ１に記載のワイヤレスデバイス。
［Ｃ５］
前記アナログデジタル変換器は、前記直接サンプリングモードで動作しているとき、直接サンプリングレートで信号をサンプリングするように構成される、
Ｃ４に記載のワイヤレスデバイス。
［Ｃ６］
前記アナログデジタル変換器は、前記通常サンプリングモードで動作しているとき、通常サンプリングレートで信号をサンプリングするように構成される、
Ｃ４に記載のワイヤレスデバイス。
［Ｃ７］
前記直接サンプリング経路は、チューナブルフィルタモジュールを備える、Ｃ１に記載のワイヤレスデバイス。
［Ｃ８］
前記ゼロ中間周波数経路は、ミキサと発振器と増幅器とを備える、
Ｃ１に記載のワイヤレスデバイス。
［Ｃ９］
前記ワイヤレスデバイスは、前記受信信号電力が受信信号電力しきい値よりも大きいとき、前記直接サンプリングモードで動作するように構成される、
Ｃ１に記載のワイヤレスデバイス。
［Ｃ１０］
前記ワイヤレスデバイスは、前記受信信号電力が受信信号電力しきい値よりも小さいかまたはそれに等しいとき、前記通常サンプリングモードで動作するように構成される、Ｃ１に記載のワイヤレスデバイス。
［Ｃ１１］
前記ワイヤレスデバイスは、キャリア対雑音比がキャリア対雑音比しきい値よりも大きいとき、前記直接サンプリングモードで動作するように構成される、
Ｃ１に記載のワイヤレスデバイス。
［Ｃ１２］
前記ワイヤレスデバイスは、キャリア対雑音比がキャリア対雑音比しきい値よりも小さいかまたはそれに等しいとき、前記通常サンプリングモードで動作するように構成される、
Ｃ１に記載のワイヤレスデバイス。
［Ｃ１３］
トランシーバをさらに備え、前記直接サンプリング経路と前記ゼロ中間周波数経路とは、前記トランシーバ上に実装される、
Ｃ１に記載のワイヤレスデバイス。
［Ｃ１４］
第１のトランシーバと第２のトランシーバとをさらに備え、前記直接サンプリング経路は、前記第１のトランシーバ上に実装され、前記ゼロ中間周波数経路は、前記第２のトランシーバ上に実装される、
Ｃ１に記載のワイヤレスデバイス。
［Ｃ１５］
前記第１のトランシーバと前記第２のトランシーバとは、アナログデジタル変換器に結合され、前記アナログデジタル変換器は、前記直接サンプリングモードで動作しているときは直接サンプリングレートで、および前記通常サンプリングモードで動作しているときは通常サンプリングレートで信号をサンプリングするように構成される、
Ｃ１４に記載のワイヤレスデバイス。
［Ｃ１６］
前記第１のトランシーバは、直接サンプリングレートで信号をサンプリングするように構成された第１のアナログデジタル変換器を備え、前記第２のトランシーバは、通常サンプリングレートで信号をサンプリングするように構成された第２のアナログデジタル変換器を備える、
Ｃ１４に記載のワイヤレスデバイス。
［Ｃ１７］
前記直接サンプリングモードは、アンダーサンプリングモードと、ナイキストモードと、オーバーサンプリングモードとのうちの１つで動作することを備える、
Ｃ１に記載のワイヤレスデバイス。
［Ｃ１８］
アンテナを使用して受信信号を受信することと、
受信信号電力が受信信号電力しきい値よりも大きいかどうかを決定することと、
前記決定に基づいて直接サンプリングモードと通常サンプリングモードとの間で切り替わることと
を備える、チャネル状態に基づいて受信信号を受信するための方法。
［Ｃ１９］
前記受信信号電力は、前記受信信号電力しきい値よりも大きいと決定され、前記方法は、前記直接サンプリングモードに切り替わることをさらに備える、
Ｃ１８に記載の方法。
［Ｃ２０］
前記直接サンプリングモードに切り替わることは、
フィルタモジュールの入力を直接サンプリング経路の入力に結合するように第１のスイッチを調整することと、
前記フィルタモジュールの出力をアナログデジタル変換器に結合するように第２のスイッチを調整することと
を備える、Ｃ１９に記載の方法。
［Ｃ２１］
前記直接サンプリング経路上でチューナブルフィルタモジュールを使用して信号をフィルタ処理することと、
フィルタ処理された信号を前記アナログデジタル変換器に与えることと
をさらに備える、Ｃ２０に記載の方法。
［Ｃ２２］
前記アナログデジタル変換器を使用して直接サンプリングレートで前記フィルタ処理された信号をサンプリングすることをさらに備える、
Ｃ２１に記載の方法。
［Ｃ２３］
前記受信信号電力は、前記受信信号電力しきい値よりも小さいかまたはそれに等しいと決定され、前記方法は、前記通常サンプリングモードに切り替わることをさらに備える、Ｃ１８に記載の方法。
［Ｃ２４］
前記通常サンプリングモードに切り替わることは、
フィルタモジュールの入力をゼロ中間周波数経路に結合するように第１のスイッチを調整することと、
前記フィルタモジュールの出力をアナログデジタル変換器に結合するように第２のスイッチを調整することと
を備える、Ｃ２３に記載の方法。
［Ｃ２５］
前記ゼロ中間周波数経路を使用して信号をフィルタ処理することと、
フィルタ処理された信号を前記アナログデジタル変換器に与えることと
をさらに備える、Ｃ２４に記載の方法。
［Ｃ２６］
前記アナログデジタル変換器を使用して通常サンプリングレートで前記フィルタ処理された信号をサンプリングすることをさらに備える、
Ｃ２５に記載の方法。
［Ｃ２７］
前記受信信号のキャリア対雑音比がキャリア対雑音比しきい値よりも大きいかどうかを決定することと、
前記受信信号の前記キャリア対雑音比が前記キャリア対雑音比しきい値よりも大きいかどうかに基づいて前記直接サンプリングモードと前記通常サンプリングモードとの間で切り替わることと
をさらに備える、Ｃ１８に記載の方法。
［Ｃ２８］
前記直接サンプリングモードは、アンダーサンプリングモードと、ナイキストモードと、オーバーサンプリングモードとのうちの１つで動作することを備える、
Ｃ１８に記載の方法。
［Ｃ２９］
チャネル状態に基づいて受信信号を受信するためのコンピュータプログラム製品であって、前記コンピュータプログラム製品は、命令をその上に有する非一時的コンピュータ可読媒体を備え、前記命令は、
アンテナを使用して受信信号を受信することをワイヤレスデバイスに行わせるためのコードと、
受信信号電力が受信信号電力しきい値よりも大きいかどうかを決定することを前記ワイヤレスデバイスに行わせるためのコードと、
前記決定に基づいて直接サンプリングモードと通常サンプリングモードとの間で切り替わることを前記ワイヤレスデバイスに行わせるためのコードと
を備える、コンピュータプログラム製品。
［Ｃ３０］
前記受信信号電力は、前記受信信号電力しきい値よりも大きいと決定され、前記命令は、前記直接サンプリングモードに切り替わることを前記ワイヤレスデバイスに行わせるためのコードをさらに備える、
Ｃ２９に記載のコンピュータプログラム製品。
［Ｃ３１］
前記命令は、
直接サンプリング経路を使用して信号をフィルタ処理することを前記ワイヤレスデバイスに行わせるためのコードと、
アナログデジタル変換器を使用して直接サンプリングレートで前記フィルタ処理された信号をサンプリングすることを前記ワイヤレスデバイスに行わせるためのコードとをさらに備える、Ｃ３０に記載のコンピュータプログラム製品。
［Ｃ３２］
前記受信信号電力は、前記受信信号電力しきい値よりも小さいかまたはそれに等しいと決定され、前記命令は、前記通常サンプリングモードに切り替わることを前記ワイヤレスデバイスに行わせるためのコードをさらに備える、
Ｃ２９に記載のコンピュータプログラム製品。
［Ｃ３３］
前記命令は、
ゼロ中間周波数経路を使用して信号をフィルタ処理することを前記ワイヤレスデバイスに行わせるためのコードと、
アナログデジタル変換器を使用して通常サンプリングレートで前記フィルタ処理された信号をサンプリングすることを前記ワイヤレスデバイスに行わせるためのコードとをさらに備える、Ｃ３２に記載のコンピュータプログラム製品。
［Ｃ３４］
受信信号を受信するための手段と、
受信信号電力が受信信号電力しきい値よりも大きいかどうかを決定するための手段と、
前記決定に基づいて直接サンプリングモードと通常サンプリングモードとの間で切り替わるための手段と
を備える、チャネル状態に基づいてワイヤレス信号を受信するための装置。
［Ｃ３５］
前記受信信号電力は、前記受信信号電力しきい値よりも大きいと決定され、前記直接サンプリングモードに切り替わるための手段をさらに備える、
Ｃ３４に記載の装置。
［Ｃ３６］
直接サンプリング経路を使用して信号をフィルタ処理するための手段と、
直接サンプリングレートで前記フィルタ処理された信号をサンプリングするための手段と
をさらに備える、Ｃ３５に記載の装置。
［Ｃ３７］
前記受信信号電力は、前記受信信号電力しきい値よりも小さいかまたはそれに等しいと決定され、前記通常サンプリングモードに切り替わるための手段をさらに備える、Ｃ３４に記載の装置。
［Ｃ３８］
ゼロ中間周波数経路を使用して信号をフィルタ処理するための手段と、
アナログデジタル変換器を使用して通常サンプリングレートで前記フィルタ処理された信号をサンプリングするための手段と
をさらに備える、Ｃ３７に記載の装置。
【要約】  チャネル状態に基づいてワイヤレス信号を受信するためのワイヤレスデバイスが説明される。ワイヤレスデバイスは、直接サンプリングモードで動作しているときに使用される直接サンプリング経路を含む。ワイヤレスデバイスはまた、通常サンプリングモードで動作しているときに使用されるゼロ中間周波数経路を含む。ワイヤレスデバイスはさらに、フィルタモジュール入力を直接サンプリング経路の入力およびゼロ中間周波数経路の入力に結合する第１のスイッチを含む。ワイヤレスデバイスはまた、フィルタモジュール出力を直接サンプリング経路の出力およびゼロ中間周波数経路の出力に結合する第２のを含む。第１のスイッチと第２のスイッチとは、受信信号電力に基づいて直接サンプリング経路とゼロ中間周波数経路との間で切り替わるように構成される。
【選択図】図１【図１】
0005882555.tif 000002
【図２】
0005882555.tif 000003
【図３】
0005882555.tif 000004
【図４】
0005882555.tif 000005
【図５】
0005882555.tif 000006
【図６】
0005882555.tif 000007
【図７】
0005882555.tif 000008
【図８】
0005882555.tif 000009
【図９】
0005882555.tif 000010
【図１０】
0005882555.tif 000011